(57)【要約】【課題】ユーザコミュニティにターゲット情報を効果的に提供するためのシステム及び方法を提供する。【解決手段】情報配信ネットワークを実現するためのシステムが、この情報配信ネットワークを介して情報配信サービスを提供するように構成された情報サービスを含む。装置ユーザがユーザ装置を利用して、情報配信サービスを受けるために情報サービスと通信する。装置ユーザの一部が、ユーザ装置の対応する装置ユーザとユーザコミュニティを形成するように定義される。定義されたユーザコミュニティのコミュニティメンバは、情報サービスから受け取った広告に関するフィードバックメタデータを生成することができる。その後、情報サービスが、このフィードバックメタデータを効果的に利用して、ユーザコミュニティのコミュニティメンバを正確に将来の広告のターゲットとすることができる。【選択図】図１Ａ
2012079317.tif 000002
【特許請求の範囲】
【請求項１】
情報配信ネットワークを構築するためのシステムであって、
前記情報配信ネットワークを介して情報配信サービスを提供するように構成された情報サービスと、
選択された情報を受け取れるように前記情報サービスと通信するために装置ユーザが利用するユーザ装置と、
を備え、前記装置ユーザの一部が、前記ユーザ装置の対応する装置ユーザとユーザコミュニティを形成し、
前記選択された情報に関するフィードバックメタデータを生成するために前記装置ユーザが利用する１又はそれ以上のフィードバックモジュールをさらに備え、前記フィードバックメタデータが、前記ユーザコミュニティのコミュニティメンバを前記選択された情報のターゲットとするために利用される、
ことを特徴とするシステム。
【請求項２】
前記情報配信ネットワーク内のネットワークエンティティと通信するトランスポート構造をさらに含み、該トランスポート構造が、前記情報サービスからの選択された情報を前記装置ユーザのうちのターゲットされた装置ユーザに提供するためのターゲティングメタデータを収集し、前記ターゲティングメタデータが前記フィードバックメタデータを含む、
ことを特徴とする請求項１に記載のシステム。
【請求項３】
前記選択された情報が、前記情報配信ネットワークに関連する１又はそれ以上の広告主からの広告を含む、
ことを特徴とする請求項１に記載のシステム。
【請求項４】
前記フィードバックメタデータが、前記ユーザ装置のユーザフィードバックインターフェイスを介して提供される、前記コミュニティメンバからの一般的な肯定的フィードバックを含む、
ことを特徴とする請求項１に記載のシステム。
【請求項５】
前記一般的な肯定的フィードバックを使用して、前記ユーザコミュニティの前記コミュニティメンバを、対応する広告タイプのターゲットとする、
ことを特徴とする請求項４に記載のシステム。
【請求項６】
前記フィードバックメタデータが、前記ユーザ装置のユーザフィードバックインターフェイスを介して提供される、前記コミュニティメンバからの特定の肯定的フィードバックを含む、
ことを特徴とする請求項１に記載のシステム。
【請求項７】
前記特定の肯定的フィードバックを使用して、前記ユーザコミュニティの前記コミュニティメンバのうちの具体的に選択されたコミュニティメンバを、対応する広告タイプのターゲットとする、
ことを特徴とする請求項６に記載のシステム。
【請求項８】
前記ユーザコミュニティの前記コミュニティメンバのうちの前記具体的に選択されるコミュニティメンバが、前記ユーザコミュニティに関するコミュニティメタデータを分析した後で自動的に生成されるメンバ推薦リストから選択される、
ことを特徴とする請求項７に記載のシステム。
【請求項９】
前記ユーザコミュニティが、１又はそれ以上の共通の特徴を共有する前記コミュニティメンバのグループを表す、
ことを特徴とする請求項１に記載のシステム。
【請求項１０】
前記ユーザコミュニティが、前記コミュニティメンバの１又はそれ以上からの特定のグループ分け選択により手動で作成される、
ことを特徴とする請求項９に記載のシステム。
【請求項１１】
前記ユーザコミュニティが、収集したメタデータからの特定のグループ分け要素をコミュニティマネージャが評価することにより自動的に作成される、
ことを特徴とする請求項９に記載のシステム。
【請求項１２】
前記ユーザコミュニティの１つが、手動作成手順又は自動作成手順により最初に定義され、前記手動作成手順が、前記コミュニティメンバからのターゲットメンバにより実行され、前記自動作成手順が、前記装置ユーザの共通の特徴及び共通の行動をコミュニティマネージャが分析することにより自動的に実行される、
ことを特徴とする請求項１に記載のシステム。
【請求項１３】
前記情報サービスが、収集したメタデータを分析し、広告を準備して前記ターゲットメンバへ送信し、この結果、前記ターゲットメンバが前記広告を見る、
ことを特徴とする請求項１２に記載のシステム。
【請求項１４】
前記情報サービスが、関連する前記広告に前記ユーザコミュニティの前記コミュニティメンバのいずれが気付く可能性が高いかを示す推薦リストを前記ターゲットメンバに提供する、
ことを特徴とする請求項１３に記載のシステム。
【請求項１５】
前記ターゲットメンバが、肯定的フィードバックボタン及び否定的フィードバックボタンを有する基本的フィードバックウィンドウを含むとともに、前記推薦リストを有するメンバ選択ウィンドウも含むユーザフィードバックインターフェイスを利用して、前記広告に関する前記フィードバックメタデータを生成する、
ことを特徴とする請求項１４に記載のシステム。
【請求項１６】
前記フィードバックメタデータをユーザメタデータ、装置メタデータ、及び広告主メタデータと組み合わせて、前記ユーザコミュニティの前記コミュニティメンバを正確に将来の広告のターゲットとする、
ことを特徴とする請求項１５に記載のシステム。
【請求項１７】
前記情報サービスが、前記コミュニティメンバから１又はそれ以上の影響力のあるメンバを識別し、前記選択された情報をターゲットする際に、前記影響力のあるメンバの前記フィードバックメタデータに高い影響力レベルを与える、
ことを特徴とする請求項１に記載のシステム。
【請求項１８】
情報配信ネットワークにおけるユーザ装置であって、
対応するコミュニティメンバとのユーザコミュニティに参加している装置ユーザが選択された情報を受け取れるように情報サービスと通信するために利用する装置アプリケーションと、
前記選択された情報に関するフィードバックメタデータを生成するために前記装置ユーザが利用するフィードバックモジュールと、
を含み、前記フィードバックメタデータが、前記ユーザコミュニティの前記コミュニティメンバを前記選択された情報のターゲットとするために利用される、
ことを特徴とするユーザ装置。
【請求項１９】
前記情報配信ネットワーク内のネットワークエンティティと通信するトランスポート構造をさらに含み、該トランスポート構造が、前記情報サービスからの選択された情報を前記コミュニティメンバのうちのターゲットされたコミュニティメンバに提供するためのターゲティングメタデータを収集し、前記ターゲティングメタデータが前記フィードバックメタデータを含む、
ことを特徴とする請求項１８に記載のユーザ装置。
【請求項２０】
前記選択された情報が、前記情報配信ネットワークに関連する１又はそれ以上の広告主からの広告を含む、
ことを特徴とする請求項１８に記載のユーザ装置。
【請求項２１】
前記フィードバックメタデータが、前記ユーザ装置のユーザフィードバックインターフェイスを介して提供される、前記装置ユーザからの一般的な肯定的フィードバックを含む、
ことを特徴とする請求項１８に記載のユーザ装置。
【請求項２２】
前記装置ユーザが、肯定的フィードバックボタン及び否定的フィードバックボタンを有する基本的フィードバックウィンドウを含むとともに、推薦リストを有するメンバ選択ウィンドウも含むユーザフィードバックインターフェイスを利用して、広告に関する前記フィードバックメタデータを生成する、
ことを特徴とする請求項１８に記載のユーザ装置。
【請求項２３】
前記フィードバックメタデータをユーザメタデータ、装置メタデータ、及び広告主メタデータと組み合わせて、前記ユーザコミュニティの前記コミュニティメンバを正確に将来の広告のターゲットとする、
ことを特徴とする請求項２２に記載のユーザ装置。
【発明の詳細な説明】
【技術分野】
【０００１】
本発明は、一般に電子情報を配信するための技術に関し、より具体的には、ユーザコミュニティにターゲット情報を効果的に提供するためのシステム及び方法に関する。
【背景技術】
【０００２】
電子情報を配信するための効果的な方法を実施することは、現代の電子システムの設計者及び製造者にとって重要な検討課題である。しかしながら、電子装置が利用する電子情報を効果的に配信することにより、システム設計者に多くの課題が生じる恐れがある。例えば、さらなるシステムの機能及び性能を求める要求が高まることにより、より大きなシステム処理能力が必要となり、追加のソフトウェアリソースが必要となる可能性がある。処理要件又はソフトウェア要件の増加により、生産コスト及び経営の非効率性が増加した結果、これに対応する不利益な経済的影響がもたらされる可能性もある。
【０００３】
さらに、様々な高度な配信動作を行うためにシステム能力が高まることにより、システムユーザに付加的な利益がもたらされる場合もあるが、様々なシステム構成要素の制御及び管理に関するさらなる要求が突きつけられる可能性もある。例えば、電子広告情報を効果的に管理する電子システムは、必要なデジタルデータの量が多く複雑であるため、効果的な実施から恩恵を受けることができる。
【発明の概要】
【発明が解決しようとする課題】
【０００４】
システムリソースに対する要求が増加し、データの大きさが大幅に増加している結果、電子情報を電子装置に配信するための新しい技術を開発することが、関連する電子技術にとって懸案事項であることは明らかである。従って、上述した全ての理由から、電子情報を配信するための効果的な技術を開発することは、現代の電子システムの設計者、製造者、及びユーザにとって依然として重要な検討課題のままとなっている。
【課題を解決するための手段】
【０００５】
本発明によれば、ユーザコミュニティにターゲット情報を効果的に提供するためのシステム及び方法が開示される。１つの実施形態では、配信システムが、対応するユーザ装置の装置ユーザが利用するのに適した様々な種類の情報を自動的に提供する。例えば、配信される情報は、以下に限定されるわけではないが、特定の装置ユーザをターゲットとする商業広告情報を含むことができる。所望の広告情報に積極的にアクセスするように消費者に要求する「プル」モデルをサポートする従来の広告技術とは異なり、上述の配信システムは、装置ユーザ及び様々な広告主の両方を定めた対応するメタデータファイルに基づいて適当な広告情報を自動的に選択してターゲット装置ユーザへ送信する「プッシュ」モデルをサポートする。
【０００６】
１つの実施形態では、配信システムが、配信システム内の適当なエンティティとの間で様々な種類の関連情報を自動的に伝送する１又はそれ以上のトランスポート構造をサポートし、これを利用することができる。例えば、このトランスポート構造を利用して、情報サービスから様々な装置ユーザ、ユーザ装置、電子ネットワーク、ユーザコミュニティ、及びそれぞれの広告主に関するメタデータを収集して転送することができる。また、このトランスポート構造を利用して、適当なユーザ装置にターゲット広告及び／又は電子コンテンツへのリンクを提供することもできる。
【０００７】
いくつかの実施形態では、いずれかの効果的な技術を使用することにより、最初に情報配信ネットワーク内のユーザコミュニティを定義することができる。例えば、いくつかの実施形態では、１又はそれ以上の装置ユーザにより、所与のユーザコミュニティのメンバを明確に指定することができる。また、他の実施形態では、関連する装置ユーザ情報を分析することにより、ユーザコミュニティを自動的に定義することができる。例えば、装置ユーザの共通の特徴及び行動などの選択因子をモニタし分析して、所与のユーザコミュニティを定義することができる。
【０００８】
次に、情報サービスが、収集したメタデータを分析し広告を準備して、対応するユーザ装置のターゲットユーザへ送信することができる。いくつかの実施形態では、情報サービス又はその他の適当なエンティティが、関連する広告にユーザコミュニティの他のいずれのメンバが気付く可能性が高いかを示す推薦を提供することもできる。この結果、装置ユーザは、送信された広告を受け取ってこれを見る。本発明によれば、装置ユーザが、ユーザフィードバックインターフェイス又はその他の適当な手段を利用して、見た広告に関するフィードバックメタデータを生成することができる。ユーザフィードバックインターフェイスは、対応するユーザ装置又は他のいずれかの適当なエンティティのディスプレイ上に表示することができる。
【０００９】
いくつかの実施形態では、ユーザフィードバックインターフェイスが、肯定的フィードバックボタン及び否定的フィードバックボタンを有する基本的フィードバックウィンドウを含むことができる。ターゲットユーザは、特定の広告を見た後で、肯定的フィードバックボタンを選択して、広告に関する肯定的な印象を示すことができる。同様に、装置ユーザは、否定的フィードバックボタンを選択して、広告に関する否定的な印象を示すことができる。いくつかの実施形態では、基本的フィードバックウィンドウが、（例えば、１という低スコアから１０という高スコアまでの）ランク付けした範囲の肯定的又は否定的フィードバックを提供することができる。
【００１０】
いくつかの実施形態では、ユーザフィードバックインターフェイスが、一連のユーザコミュニティからのメンバで構成される選択されたメンバリストを含むメンバ選択ウィンドウも含む。このメンバリストは、いずれかの効果的な方法で作成することができる。例えば、メンバリストを、装置ユーザが詳細に作成したデフォルトの友人リストとして実現することができる。或いは、コミュニティマネージャ又はその他のいずれかの適当なエンティティがユーザコミュニティのメンバに関する様々な関連する種類のメタデータを分析した後で提供される推薦メタデータに基づいて、自動的にメンバリストを作成することもできる。次に、ターゲットユーザは、１又はそれ以上のコミュニティメンバを選択して、リストされたコミュニティメンバのいずれが特定の関連広告に気付く可能性が高いかを詳細に示すフィードバックメタデータを生成することができる。
【００１１】
その後、この生成されたフィードバックメタデータを（ユーザメタデータ、装置メタデータ、及び広告主メタデータなどの）他の関連するメタデータに組み入れて、ターゲットユーザ及び対応するユーザコミュニティの他のメンバに将来の広告をより正確かつ効果的に提供することができる。従って、少なくとも上述の理由により、本発明は、ターゲット情報をユーザコミュニティに効果的に提供するための改善されたシステム及び方法を提供する。
【図面の簡単な説明】
【００１２】
【図１Ａ】本発明の１つの実施形態による配信システムのブロック図である。
【図１Ｂ】本発明の１つの実施形態によるユーザコミュニティを示すブロック図である。
【図２Ａ】本発明によるトランスポート構造の１つの実施形態を示すブロック図である。
【図２Ｂ】本発明によるメディアファイルの１つの実施形態を示すブロック図である。
【図３】本発明による図１Ａのユーザ装置の１つの実施形態を示すブロック図である。
【図４】本発明による図３のユーザメモリの１つの実施形態を示すブロック図である。
【図５】本発明による図１Ａの情報サービスの１つの実施形態を示すブロック図である。
【図６Ａ】本発明による図５のトランスポートサーバの１つの実施形態を示すブロック図である。
【図６Ｂ】本発明による図６Ａのトランスポートサーバメモリの１つの実施形態を示すブロック図である。
【図７】本発明による図５の広告サーバの１つの実施形態を示すブロック図である。
【図８】本発明の１つの実施形態による例示的なユーザフィードバックインターフェイスを示す図である。
【発明を実施するための形態】
【００１３】
本発明は、電子データ配信技術の改善に関する。以下の説明は、当業者が本発明を実施及び使用できるようにするために提供し、特許出願及びその要件との関連において行うものである。当業者には、開示する実施形態に対する様々な修正が明らかであろうし、また本明細書における一般的な原理を他の実施形態に適用することもできる。従って、本発明は、図示の実施形態に限定されることを意図されるものではなく、本明細書で説明する原理及び特徴と一致する最も広い範囲を許容すべきものである。
【００１４】
本発明は、情報配信ネットワークを実現するためのシステム及び方法を含むとともに、この情報配信ネットワークを介して情報配信サービスを提供するように構成された情報サービスを含む。装置ユーザがユーザ装置を利用して、情報配信サービスを受けるために情報サービスと通信する。装置ユーザの一部が、ユーザ装置の対応する装置ユーザとユーザコミュニティを形成するように定義される。定義されたユーザコミュニティのコミュニティメンバは、情報サービスから受け取った広告に関するフィードバックメタデータを生成することができる。その後、情報サービスが、このフィードバックメタデータを効果的に利用して、ユーザコミュニティのコミュニティメンバを正確に将来の広告のターゲットとすることができる。
【００１５】
ここで図１Ａを参照すると、本発明の１つの実施形態による配信システム１１０のブロック図を示している。図１Ａの実施形態では、配信システム１１０が、以下に限定されるわけではないが、１又はそれ以上のユーザ装置１２２、情報サービス１１８、及びネットワーク１２６を含むことができる。代替の実施形態では、図１Ａの実施形態に関連して説明する構成要素及び構成のいくつかに加え、或いはこれらの代わりに構成要素及び構成を利用することにより配信システム１１０を実現することができる。
【００１６】
本発明によれば、配信システム１１０が、対応するユーザ装置１２２の装置ユーザが利用するのに適した様々な種類の情報を自動的に提供する配信手順を有利にサポートする。例えば、配信される情報は、以下に限定されるわけではないが、ユーザ装置１２２の適当な装置ユーザを具体的にターゲットとする商業広告情報を含むことができる。所望の広告情報に積極的にアクセスするように消費者に要求する「プル」モデルをサポートする従来の広告技術とは異なり、図１Ａの配信システム１１０は、装置ユーザ及び様々な広告主の両方を定めるとともに１又はそれ以上のユーザコミュニティを表すこともできる対応するメタデータに基づいて適当な広告情報を自動的に選択しターゲット装置ユーザへ送信する「プッシュ」モデルをサポートする。
【００１７】
図１Ａの実施形態では、金銭的な又はその他の対価と引き換えに広告主及び装置ユーザに配信サービスを提供する配信制御エンティティによって配信システム１１０を実現しサポートすることができる。配信制御エンティティは、情報サービス１１８などの配信システム１１０のキー要素を保持して制御する営利企業であってもよい。
【００１８】
いくつかの実施形態では、配信システム１１０が、配信システム１１０内の適当なエンティティとの間で様々な種類の関連する情報を自動的に伝送する１又はそれ以上のトランスポート構造（図２Ａを参照）をサポートして利用できるという利点を有する。例えば、トランスポート構造を利用して、情報サービス１１８から様々な装置ユーザ、ユーザ装置１２２、ネットワーク１２６、ユーザコミュニティ（図１Ｂを参照）、及びそれぞれの広告主に関するメタデータを収集して転送することができる。また、トランスポート構造を利用して、ターゲット広告及び／又は電子コンテンツへのリンクを適当なユーザ装置１２２に伝送又は提供することができる。
【００１９】
本発明によれば、１又はそれ以上のユーザコミュニティをいずれかの適当な形で定義することができる。その後、コミュニティメンバは、情報サービス１１８から受け取った特定の広告に関する適当なユーザフィードバック情報を提供することができる。このユーザフィードバック情報を有利に利用して、それぞれのユーザコミュニティのメンバをより正確にさらなる広告のターゲットとすることができる。従って、本発明は、ユーザコミュニティにターゲット情報を効果的に提供するための改善されたシステム及び方法を提供する。以下、図１Ａの配信システム１１０におけるトランスポート構造の実施構成及び利用に関するさらなる詳細について図１Ｂ〜図８に関連して説明する。
【００２０】
ここで図１Ｂを参照すると、本発明の１つの実施形態によるユーザコミュニティ１５０のブロック図を示している。図１Ｂの実施形態では、ユーザコミュニティ１５０が、以下に限定されるわけではないが、１又はそれ以上の装置ユーザ及びこれらの対応するユーザ装置１２２（ａ）〜１２２（ｍ）を含むことができる。図１Ｂでは、ユーザ装置１２２を、図１Ａの対応する番号を付けたユーザ装置１２２（ａ）〜１２２（ｍ）と同じ又は同様のものとすることができる。
【００２１】
図１Ｂのユーザコミュニティ１５０は例示目的で示すものであり、代替の実施形態では、図１Ｂの実施形態に関連して説明する構成要素及び構成のいくつかに加え、或いはこれらの代わりに構成要素及び構成を利用することによりユーザコミュニティ１５０を実現することができる。例えば、対応する装置ユーザがあらゆる所望の数又は種類のユーザ装置１２２を利用してユーザコミュニティ１５０を形成することができる。
【００２２】
図１Ｂの実施形態では、いずれかの効果的な手段を利用することにより、ユーザコミュニティ１５０を定義又は作成することができる。例えば、いくつかの実施形態では、ユーザコミュニティ１５０のメンバになることに正式な登録手順を必要とすることができる。代替の実施形態では、１又はそれ以上の装置ユーザが所与のユーザコミュニティ１５０のメンバを明確に指定することができる。また、いくつかの実施形態では、関連する装置ユーザ情報を分析することによりユーザコミュニティ１５０を自動的に定義することができる。例えば、装置ユーザの特徴及び行動などの選択因子をモニタし分析して所与のユーザコミュニティ１５０を定義することができる。
【００２３】
図１Ｂの実施形態では、ユーザコミュニティ１５０のそれぞれのメンバから関連するコミュニティメタデータを収集することができる。次に、このコミュニティメタデータを利用して、ユーザコミュニティ１５０の他のメンバとの共通の興味を背景に、所与のコミュニティメンバが受け取りたいと望む可能性のある潜在的広告の推薦を生成することができる。従って、本発明は、ユーザコミュニティ１５０の信頼のあるメンバから収集される情報／メタデータを継続的に収集し、分析し、蓄え、レポートし、管理して、ユーザコミュニティ１５０のコミュニティメンバのより正確なプロファイルを構築できる技術を提供する。
【００２４】
受け取った広告に対して装置ユーザにより提供されるユーザフィードバック情報の分析を通じて、装置ユーザ及びユーザ装置１２２に配信した広告の潜在的有効性を評価することができる。本発明は、ユーザ装置１２２及びユーザコミュニティ１５０に提供される１又はそれ以上のトランスポート構造を介して収集されるユーザフィードバック情報を収集し、比較し、組み入れる改善されたシステムを提供する。収集したメタデータ及び他のいずれかの情報を有利に分析して、コミュニティ１５０の装置ユーザに関する理解を深め、様々な異なる広告を効果的なものにすることができる。
【００２５】
従って、本発明は、広告の有効性を改善し、ユーザコミュニティ１５０又はユーザコミュニティ１５０の集合に、共通の興味にかなう広告を提供するための新しい機会を作り出す。ユーザコミュニティ１５０のこれらの信頼のあるメンバからの推薦及び紹介を通じ、ターゲット消費者の数及び広告の全体的有効性が高まる可能性もある。本発明は、消費者が広告を保存して共有できるようにするだけでなく、装置ユーザ及びコミュニティの興味及び趣味に合うように広告をフィードバックし、編集し、又はこれに注釈を付けるためのメカニズムを提供する。
【００２６】
いくつかの実施形態では、本発明が、共通の興味を共有するオンラインユーザコミュニティを自動的に巡回する処理をサポートする。本発明は、ユーザ推薦、デジタル会話、及びユーザ論評を解析して個人向けの信頼できる広告を生成し、個々の装置ユーザ及び／又はユーザコミュニティ１５０にまとめて配信する。装置ユーザは、広告を見てこれを気に入った場合、信頼できるユーザコミュニティ１５０の他のメンバへ送信される広告に影響を与える肯定的フィードバックを転送することができる。
【００２７】
この手順は、友人リストを使用することによってさらに簡略化することができる。自動化システムが、信頼できるコミュニティ１５０のユーザプロファイルを調べて、広告を共有するように装置ユーザを促す。これらの紹介の有効性を測るための、及びこれらの広告の送信者及び受信者の両方を奨励するための（トランスポート構造などの）メカニズムが存在してもよい。いくつかの実施形態では、本発明が、影響力のあるコミュニティメンバを識別することができる。例えば、影響力のあるコミュニティメンバに関する「ヒット」数（ネットワークによる接触）により、影響力のあるコミュニティメンバを識別することができる。本発明は、オンラインユーザコミュニティ１５０内の信頼できるリーダーシップとして、これらの「影響力のある人物」と連携し、これらの人物の影響力を利用して広告メッセージの有効性を高めることができる。以下、図１Ａの配信システム１１０におけるユーザコミュニティ１５０の構築及び利用に関する追加の詳細について図１Ｂ〜図８に関連してさらに説明する。
【００２８】
ここで図２Ａを参照すると、本発明によるトランスポート構造２１０の１つの実施形態のブロック図を示している。図２Ａの実施形態は例示目的で示すものであり、代替の実施形態では、図２Ａの実施形態に関連して説明する構成要素及び構成のいくつかに加え、或いはこれらの代わりに構成要素及び構成を利用することによりトランスポート構造２１０を実現することができる。
【００２９】
図２Ａの実施形態では、トランスポート構造（ＴＳ）コントローラ２２０が、トランスポート構造のための知的機能及び制御を提供するいずれかの適当な種類の情報又は命令を含むことができる。いくつかの実施形態では、ＴＳコントローラ２２０が、ユーザ装置１２２のプロセッサ又は情報サービス１１８（図１Ａ）からのトランスポートサーバなどの外部エンティティとやりとりし、或いはこれらがＴＳコントローラ２２０を実行することができる。
【００３０】
図２Ａの実施形態では、ユーザメタデータ２２２が、ユーザ装置１２２（図１Ａ）の１又はそれ以上の装置ユーザに関する情報を含むことができる。いくつかの実施形態では、１又はそれ以上の適当なユーザプロファイル４３０（図４）からユーザメタデータ２２２を選択的に作成することができる。同様に、装置メタデータ２２６は、１又はそれ以上のユーザ装置１２２に関する情報を含むことができる。いくつかの実施形態では、１又はそれ以上の適当な装置プロファイル４３４（図４）から装置メタデータ２２６を選択的に作成することができる。図２Ａの実施形態では、広告主メタデータ２３４が、配信システム１１０に関連する１又はそれ以上の広告主及び／又は広告に関する情報を含むことができる。いくつかの実施形態では、広告主を広告ソース５４０（図５）に関連付けることができる。メディアリンク２４６は、以下で図２Ｂに関連して説明するように、１又はそれ以上のメディアファイルにアクセスするための場所又は接続手段を示すための適当な情報を含むことができる。
【００３１】
図２Ａの実施形態では、（単複の）コミュニティリスト２３８が、１又はそれ以上のユーザコミュニティ１５０（図１Ｂ）から特定のコミュニティメンバを識別することができる。いくつかの実施形態では、所与のコミュニティリスト２３８が、メンバ名、メンバの電子メールアドレス、及びこの特定のユーザコミュニティ１５０を詳細に定義する他のいずれかの関連情報を含むことができる。図２Ａの実施形態では、コミュニティメタデータ２４０が、配信システム１１０からの１又はそれ以上のユーザコミュニティ１５０に関するあらゆる種類の集約情報を含むことができる。いくつかの実施形態では、コミュニティメタデータ２４０が、一般的に共有されるメンバの特徴、好み、行動、位置、購入取引履歴、及び広告閲覧履歴を含むことができる。
【００３２】
図２Ａの実施形態では、フィードバックメタデータ２４２が、装置ユーザが配信システム１１０（図１）を介して受け取った広告又はその他の情報に対して提供したあらゆる種類の情報を含むことができる。例えば、フィードバックメタデータ２４２は、以下に限定されるわけではないが、特定の広告に関する装置ユーザからの肯定的又は否定的フィードバックを含むことができる。いくつかの実施形態では、フィードバックメタデータ２４２が、選択する装置ユーザによって関連する又は興味深い特定の広告に気付く可能性が高いという感触を持たれた、１又はそれ以上のユーザコミュニティ１５０からユーザが選択した特定のメンバを含むこともできる。
【００３３】
配信システム１１０内の様々なエンティティは、フィードバック構造２１０内のフィードバックメタデータ２４２及びその他のメタデータ情報をあらゆる適当な形で利用することができる。例えば、ユーザメタデータ２２２、装置メタデータ２２６、広告主メタデータ２３４、コミュニティメタデータ２４０、及びフィードバックメタデータ２４２のうちの対応する要素をマッチさせることによって、ターゲット装置ユーザへ自動送信するのに適した種類の関連する広告情報を識別することにより、広告ターゲティング手順を実施することができる。
【００３４】
図２Ａの実施形態では、コミュニティメタデータ２４０、フィードバックメタデータ２４２、広告主メタデータ２３４、及び／又は他のあらゆる関連する種類の情報を分析することにより、推薦メタデータ２４８が、ターゲット装置ユーザのために生成される広告推薦に関するあらゆる適当な情報を含むことができる。例えば、いくつかの実施形態では、ユーザ装置１２２、又は情報サービス１１８のトランスポートサーバが、装置ユーザに特定のコミュニティメンバの推薦を提供することができる。これらの推薦は、ユーザコミュニティ１５０からの、特定の広告を受け取ることに興味がありそうな候補を表す。この結果、装置ユーザは、コミュニティメンバ推薦の１又はそれ以上を受け入れることを積極的に選択することができる。
【００３５】
トランスポート構造２１０は、いずれかの適当なソースからいずれかの効果的な形で作成することができる。例えば、トランスポート構造２１０をユーザ装置１２２（図１Ａ）に組み込んで、必要に応じて装置ユーザがこれを起動するようにすることができる。或いは、ネットワーク１２６又は情報サービス１１８内の様々なエンティティがトランスポート構造２１０を作成し、又は起動することができる。例えば、トランスポートサーバ（図６Ａを参照）がトランスポート構造２１０の作成及び動作を管理することができる。以下、図２Ａのトランスポート構造２１０の実施構成及び利用に関するさらなる詳細について図２Ｂ〜図８に関連して説明する。
【００３６】
ここで図２Ｂを参照すると、本発明によるメディアファイル２５０の１つの実施形態のブロック図を示している。図２Ｂの実施形態は例示目的で示すものであり、代替の実施形態では、図２Ｂの実施形態に関連して説明する構成要素及び構成のいくつかに加え、或いはこれらの代わりに構成要素及び構成を利用することによりメディアファイル２５０を実現することができる。例えば、図２Ｂのメディアファイル２５０は、図２Ａのメディアリンク２４６を利用することによりアクセスできる別個のエンティティとして示している。しかしながら、代替の実施形態では、メディアファイル２５０を、図２Ａのトランスポート構造２１０の一体部分として実現することができる。
【００３７】
図２Ｂの実施形態では、広告（ａｄｓ）２５４は、ユーザ装置１２２（図１Ａ）のうちの適当なユーザ装置へ送信するために選択されたいずれかの適当な種類のターゲット広告情報を含むことができる。同様に、コンテンツアイテム２５８は、ユーザ装置１２２のうちの適当なユーザ装置へ送信するために選択されたいずれかの適当な種類の電子コンテンツ情報を含むことができる。例えば、コンテンツ２５８は、以下に限定されるわけではないが、ビデオデータ、オーディオデータ、グラフィクス、テキスト、映画、音楽レコーディング、及びコンピュータプログラムを含むことができる。以下、適当なメディアファイル２５０をターゲット装置ユーザに提供するためのさらなる情報について図３〜図８に関連してさらに説明する。
【００３８】
ここで図３を参照すると、本発明による図１Ａのユーザ装置１２２の１つの実施形態のブロック図を示している。図３の実施形態では、ユーザ装置１２２が、以下に限定されるわけではないが、中央処理装置（ＣＰＵ）３１４と、メモリ３１８と、ディスプレイ３３８と、１又はそれ以上の（単複の）入力／出力インターフェイス（（単複の）Ｉ／Ｏインターフェイス）３４０とを含む。図３の実施形態は例示目的で示すものであり、代替の実施形態では、図３の実施形態に関連して説明する構成要素及び構成のいくつかに加え、或いはこれらの代わりに構成要素及び構成を使用してユーザ装置１２２を実現することができる。また、ユーザ装置１２２を、以下に限定されるわけではないが、デスクトップコンピュータ、携帯情報端末、携帯電話、セットトップボックス、又はラップトップコンピュータを含むいずれかの種類のポータブルな又は非ポータブルな電子装置として実現することもできる。
【００３９】
図３の実施形態では、ＣＰＵ３１４を、好ましくはソフトウェア命令を実行するいずれかの適当な及び互換性のあるマイクロプロセッサ装置を含むように実現することにより、ユーザ装置１２２の動作を制御及び管理することができる。図３のディスプレイ３３８は、装置ユーザに様々な情報を表示するのに適した画面を備えたブラウン管モニタ又は液晶ディスプレイ装置を含むいずれかの効果的な種類のディスプレイ技術を含むことができる。図３の実施形態では、（単複の）Ｉ／Ｏインターフェイス３４０が、ユーザ装置１２２がいずれかの必要な種類の情報を受信及び／又は送信するための１又はそれ以上の入力及び／又は出力インターフェイスを含むことができる。図３の実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組み合わせを含むようにメモリ３１８を実現することができる。以下、ユーザ装置１２２の利用に関する追加の詳細について図４〜図８に関連してさらに説明する。
【００４０】
ここで図４を参照すると、本発明による図３のユーザメモリ３１８の１つの実施形態のブロック図を示している。代替の実施形態では、図４の実施形態に関連して説明する構成要素及び構成のいくつかに加え、或いはこれらの代わりに構成要素及び構成を利用することによりユーザメモリ３１８を実現することができる。
【００４１】
図４の実施形態では、装置アプリケーション４２２が、好ましくはＣＰＵ３１４により実行されてユーザ装置１２２のための様々な機能及び動作を実行するプログラム命令を含むことができる。通常、装置アプリケーション４２２の具体的な特質及び機能は、対応するユーザ装置１２２の特定の種類及び具体的な機能などの要素次第で異なる。図４の実施形態では、ユーザメモリ３１８が、ユーザ装置１２２又はユーザ装置１２２の装置ユーザに関するいずれかの所望の属性又は特徴をまとめて記述するユーザプロファイル４３０及び装置プロファイル４３４を含むことができる。例えば、ユーザプロファイル４３０は、以下に限定されるわけではないが、装置ユーザの名前、性別、年齢、宗教、趣味、興味、職業、結婚歴、住所、収入、インターネット閲覧履歴、及びクレジットカード取引記録に関する情報を含むことができる。同様に、装置プロファイル４３４は、以下に限定されるわけではないが、装置の種類、装置のメーカー、サポートされている装置の機能、現在及び過去の地理的位置、及び装置の構成を含むことができる。
【００４２】
図４の実施形態では、ユーザ装置１２２が、コミュニティモジュール４３８を利用して１又はそれ以上のユーザコミュニティ１５０（図１Ｂ）を作成し、更新し、編集し、別様に管理することができる。図４の実施形態では、（単複の）コミュニティリスト４３８が、１又はそれ以上のユーザコミュニティ１５０から特定のコミュニティメンバを識別することができる。いくつかの実施形態では、所与のコミュニティリスト２３８が、メンバ名、メンバの電子メールアドレス、及びこの特定のユーザコミュニティ１５０を詳細に定義する他のいずれかの関連情報を含むことができる。図４の実施形態では、コミュニティメタデータ２４０が、配信システム１１０内の１又はそれ以上のユーザコミュニティ１５０に関するあらゆる種類の集約情報を含むことができる。いくつかの実施形態では、コミュニティメタデータ４４０が、一般的に共有されるメンバの特徴、好み、行動、位置、購入取引履歴、及び広告閲覧履歴を含むことができる。
【００４３】
図４の実施形態では、広告（ａｄｓ）４４２が、配信システム１１０（図１Ａ）を介して受け取られる、ユーザ装置１２２の装置ユーザ専用のターゲット広告情報を含むことができる。図４の実施形態では、コミュニティメタデータ４４０、フィードバックメタデータ４５８、広告主メタデータ２３４（図２Ａ）、及び／又は他のあらゆる関連する種類の情報を分析することにより、推薦メタデータ４５０が、ターゲット装置ユーザのために生成される広告推薦に関するあらゆる適当な情報を含むことができる。例えば、いくつかの実施形態では、ユーザ装置１２２、又は情報サービス１１８のトランスポートサーバが、装置ユーザに特定のコミュニティメンバの推薦を提供することができる。これらの推薦は、ユーザコミュニティ１５０からの、特定の広告を受け取ることに興味がありそうな候補を表す。この結果、装置ユーザは、コミュニティメンバ推薦の１又はそれ以上を受け入れることを積極的に選択することができる。
【００４４】
図４の実施形態では、ユーザ装置１２２がフィードバックモジュール４５４を利用して、適当な種類のフィードバックメタデータ４５８を生成して別様に管理することができる。図４の実施形態では、フィードバックメタデータ４５８が、装置ユーザが配信システム１１０（図１）を介して受け取った広告又はその他の情報に対して提供したあらゆる種類の情報を含むことができる。例えば、フィードバックメタデータ４５８は、以下に限定されるわけではないが、特定の広告に関する装置ユーザからの肯定的又は否定的フィードバックを含むことができる。いくつかの実施形態では、フィードバックメタデータ４５８が、選択する装置ユーザによって関連する又は興味深い特定の広告に気付く可能性が高いという感触を持たれた、１又はそれ以上のユーザコミュニティ１５０のユーザが選択した特定のメンバを含むこともできる。情報配信システム１１０内の適当な宛先への送信のために、１又はそれ以上のトランスポート構造２１０にフィードバックメタデータ４５８を（図２Ａのフィードバックメタデータ２４２として）提供することができる。
【００４５】
配信システム１１０内の様々なエンティティは、フィードバック構造２１０内のフィードバックメタデータ２４２及びその他のメタデータ情報をあらゆる適当な形で利用することができる。例えば、ユーザメタデータ２２２、装置メタデータ２２６、広告主メタデータ２３４、コミュニティメタデータ２４０、及びフィードバックメタデータ２４２（図２を参照）のうちの対応する要素をマッチさせることによって、ターゲット装置ユーザへ自動送信するのに適した種類の関連する広告情報を識別することにより、広告ターゲティング手順を実施することができる。以下、図４のユーザメモリ３１８の実施構成及び利用に関するさらなる詳細について図５〜図８に関連して説明する。
【００４６】
ここで図５を参照すると、本発明による図１Ａの情報サービス１１８の１つの実施形態のブロック図を示している。図５の実施形態では、情報サービス１１８は、以下に限定されるわけではないが、コントローラ５１４と、トランスポートサーバ５１８と、広告サーバ５３８と、１又はそれ以上の広告ソース５４０と、１又はそれ以上のコンテンツソース５４２とを含む。図５の実施形態は例示目的で示すものであり、代替の実施形態では、図５の実施形態に関連して説明する構成要素及び構成のいくつかに加え、或いはこれらの代わりに構成要素及び構成を使用して情報サービス１１８を実現することができる。
【００４７】
図５の実施形態では、情報サービス１１８の動作機能を調整するためのいずれかの効果的な制御手段を含むようにコントローラ５１４を実現することができる。例えば、いくつかの実施形態では、コントローラ５１４を、情報サービス１１８の動作を管理する対応する制御アプリケーションプログラムを含むコンピュータ装置として実現することができる。或いは、ソフトウェア命令を実行するためのいずれかの適当な互換性のあるマイクロプロセッサ装置を含む中央処理装置としてコントローラ５１４を実現することにより、情報サービス１１８の動作を制御及び管理することができる。
【００４８】
図５の実施形態では、トランスポートサーバ５１８が、本発明による１又はそれ以上のトランスポート構造２１０（図２Ａ）と通信してこれを制御するためのいずれかの効果的な手段を含むことができる。トランスポートサーバ５１８の実施構成及び利用に関する追加の詳細については、以下で図６Ａに関連してさらに説明する。図５の実施形態では、（単複の）広告ソース５４０が、配信システム１１０（図１Ａ）を介して宣伝するための広告情報を提供する１又はそれ以上の適当なエンティティを含むことができる。例えば、広告ソース５４０は、様々な営利企業、特定の広告主、又は広告開発者を含むことができる。
【００４９】
図５の実施形態では、（単複の）コンテンツソース５４２が、配信システム１１０を介して宣伝するための電子コンテンツを提供する１又はそれ以上の適当なエンティティを含むことができる。例えば、コンテンツソース５４２は、様々な営利企業、特定の広告主、又はコンテンツ製作者を含むことができる。図５の実施形態では、広告サーバ５３８が、ユーザ装置１２２（図１Ａ）のターゲット装置ユーザに提供するための適当な広告情報及び／又は電子コンテンツを、１又はそれ以上のトランスポート構造２１０（図２Ａ）からのメタデータを利用することにより識別して集計するためのいずれかの効果的な手段を含むことができる。広告サーバ５３８の１つの実施形態については、以下で図７に関連してさらに説明する。以下、情報サービス１１８の実施構成及び利用に関する追加の詳細について図６Ａ〜図８に関連してさらに説明する。
【００５０】
ここで図６Ａを参照すると、本発明による図５のトランスポートサーバ５１８の１つの実施形態のブロック図を示している。図６Ａの実施形態では、トランスポートサーバ５１８は、以下に限定されるわけではないが、中央処理装置（ＣＰＵ）６１４と、メモリ６１８と、ディスプレイ６３８と、１又はそれ以上の（単複の）入力／出力インターフェイス（（単複の）Ｉ／Ｏインターフェイス）６４０とを含む。図６Ａの実施形態は例示目的で示すものであり、代替の実施形態では、図６Ａの実施形態に関連して説明する構成要素及び構成のいくつかに加え、或いはこれらの代わりに構成要素及び構成を使用してトランスポートサーバ５１８を実現することができる。
【００５１】
図６Ａの実施形態では、好ましくはソフトウェア命令を実行するいずれかの適当な互換性のあるマイクロプロセッサ装置を含むようにＣＰＵ６１４を実現することにより、トランスポートサーバ５１８の動作を制御及び管理することができる。図６Ａのディスプレイ６３８は、装置ユーザに様々な情報を表示するのに適した画面を備えたブラウン管モニタ又は液晶ディスプレイ装置を含むあらゆる効果的な種類のディスプレイ技術を含むことができる。図６Ａの実施形態では、（単複の）Ｉ／Ｏインターフェイス６４０が、ユーザ装置１２２がいずれかの必要な種類の情報を受信及び／又は送信するための１又はそれ以上の入力及び／又は出力インターフェイスを含むことができる。図６Ａの実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組み合わせを含むようにトランスポートサーバメモリ６１８を実現することができる。
【００５２】
ここで図６Ｂを参照すると、本発明による図６Ａのトランスポートサーバメモリ６１８の１つの実施形態のブロック図を示している。代替の実施形態では、図６Ｂの実施形態に関連して説明する構成要素及び構成のいくつかに加え、或いはこれらの代わりに構成要素及び構成を利用することによりトランスポートサーバメモリ６１８を実現することができる。
【００５３】
図６Ｂの実施形態では、トランスポートサーバメモリ６１８が、以下に限定されるわけではないが、以下で開示するいくつかのソフトウェアプログラム及びデータを含むことができる。例えば、トランスポートサーバメモリ６１８は、好ましくはＣＰＵ６１４により実行されてトランスポートサーバ５１８のための様々な機能及び動作を実行するプログラム命令からなるサーバアプリケーション６４４を含むことができる。通常、サーバアプリケーションの具体的な特質及び機能は、対応するトランスポートサーバ５１８の特定の種類及び具体的な機能などの要素次第で異なる。
【００５４】
本発明によれば、トランスポートサーバ５１８がＴＳマネージャ６４８を利用して、本発明による１又はそれ以上のトランスポート構造２１０（図２Ａ）のための様々な機能を管理及び調整することができる。いくつかの実施形態では、ＴＳマネージャ６４８が、配信システム１１０（図１Ａ）からの様々な許可された配信サービスに参加するためにユーザ装置１２２の装置ユーザを登録するための登録手順を調整する登録モジュールを含むことができる。上述したように、この登録モジュールを利用して、ユーザコミュニティ１５０（図１Ｂ）を定義するための情報を取得することもできる。ＴＳデータベース６５２は、配信システム１１０内の様々なエンティティに配信サービスを提供するトランスポート構造２１０に関するいずれかの適当な情報を含むことができる。
【００５５】
いくつかの実施形態では、ＴＳマネージャ６４８が、ＴＳデータベース６５２内のそれぞれのトランスポート構造情報を、配信システム１１０内のトランスポート構造２１０の現在の状態を反映するように絶えず更新することができる。図６Ｂの実施形態では、トランスポートサーバ５１８がメタデータウェアハウス６５６を利用して、後で参照又は利用するためにあらゆる種類の情報又はメタデータを記憶することができる。例えば、メタデータウェアハウス６５６は、１又はそれ以上のトランスポート構造２１０から受け取ったユーザメタデータ２２２、装置メタデータ２２６、及び広告主メタデータ２３４の様々な組を含むことができる。
【００５６】
図６Ｂの実施形態では、トランスポートサーバ６１８がコミュニティマネージャ６６０を利用して、情報配信サービス１１０における特定の装置ユーザの代わりに１又はそれ以上のユーザコミュニティ１５０（図１Ｂ）を作成し、更新し、編集し、別様に管理することができる。図６Ｂの実施形態では、（単複の）コミュニティリスト６６４が、情報配信システム１１０内の１又はそれ以上のユーザコミュニティ１５０から特定のコミュニティメンバを識別することができる。いくつかの実施形態では、所与のコミュニティリスト２３８が、メンバ名、メンバの電子メールアドレス、及びこの特定のユーザコミュニティ１５０を詳細に定義する他のいずれかの関連情報を含むことができる。図６Ｂの実施形態では、コミュニティメタデータ６６８が、配信システム１１０内の１又はそれ以上のユーザコミュニティ１５０に関するあらゆる種類の集約情報を含むことができる。いくつかの実施形態では、コミュニティメタデータ６６８が、一般的に共有されるメンバの特徴、好み、行動、位置、購入取引履歴、及び広告閲覧履歴を含むことができる。
【００５７】
図６Ｂの実施形態では、トランスポートサーバ６１８がフィードバックマネージャ６７２を利用して、情報配信システム１１０内の様々な装置ユーザから１又はそれ以上のトランスポート構造２１０を介して受け取った適当な種類のフィードバックメタデータ６７６を処理及び別様に管理することができる。図６Ｂの実施形態では、フィードバックメタデータ６７６が、装置ユーザが配信システム１１０（図１Ａ）を介して受け取った広告又はその他の情報に対して提供したあらゆる種類の情報を含むことができる。例えば、フィードバックメタデータ６７６は、以下に限定されるわけではないが、特定の広告に関する装置ユーザからの肯定的又は否定的フィードバックを含むことができる。いくつかの実施形態では、フィードバックメタデータ６７６が、選択する装置ユーザによって関連する又は興味深い特定の広告に気付く可能性が高いという感触を持たれた、１又はそれ以上のユーザコミュニティ１５０のユーザが選択した特定のメンバを含むこともできる。
【００５８】
配信システム１１０内の様々なエンティティは、フィードバック構造２１０からのフィードバックメタデータ６７６及びその他のメタデータ情報をあらゆる適当な形で利用することができる。例えば、コミュニティメタデータ６６８、フィードバックメタデータ６７６、及びメタデータウェアハウス６５６からの情報のうちの対応する要素を組み入れ、分析し、マッチさせることによって、ターゲット装置ユーザへ自動送信するのに適した種類の関連する広告情報を識別することにより、広告ターゲティング手順を実施することができる。
【００５９】
図６Ｂの実施形態では、コミュニティメタデータ６６８、フィードバックメタデータ６７６、メタデータウェアハウス６５６からの他のあらゆる関連する種類の情報を分析することにより、推薦メタデータ６８０が、コミュニティマネージャ６６８又はその他の適当なエンティティによりターゲット装置ユーザのために生成される広告推薦に関するあらゆる適当な情報を含むことができる。例えば、いくつかの実施形態では、トランスポートサーバ６１８が、様々な装置ユーザに特定のコミュニティメンバの推薦を提供することができる。これらの推薦は、適当なユーザコミュニティ１５０からの、特定の広告を受け取ることに興味がありそうな候補を表す。適当なユーザ装置１２２へ送信した後、この対応する装置ユーザは、推薦メタデータ６８０内のコミュニティメンバ推薦の１又はそれ以上を積極的に受け入れることを選択することができる。トランスポートサーバ５１８の利用については、以下で図８に関連してさらに説明する。
【００６０】
ここで図７を参照すると、本発明による図５の広告サーバ５３８の１つの実施形態のブロック図を示している。図７の実施形態では、広告サーバ５３８が、以下に限定されるわけではないが、中央処理装置（ＣＰＵ）７１４と、メモリ７１８と、ディスプレイ７３８と、１又はそれ以上の（単複の）入力／出力インターフェイス（（単複の）Ｉ／Ｏインターフェイス）７４０とを含む。図７の実施形態は例示目的で示すものであり、代替の実施形態では、図７の実施形態に関連して説明する構成要素及び構成のいくつかに加え、或いはこれらの代わりに構成要素及び構成を使用して広告サーバ５３８を実現することができる。
【００６１】
図７の実施形態では、好ましくはソフトウェア命令を実行するいずれかの適当な互換性のあるマイクロプロセッサ装置を含むようにＣＰＵ７１４を実現することにより、広告サーバ５３８の動作を制御及び管理することができる。図７のディスプレイ７３８は、装置ユーザに様々な情報を表示するのに適した画面を備えたブラウン管モニタ又は液晶ディスプレイ装置を含むいずれかの効果的な種類のディスプレイ技術を含むことができる。図７の実施形態では、（単複の）Ｉ／Ｏインターフェイス７４０が、広告サーバ５３８がいずれかの所望の種類の情報を受信及び／又は送信するための１又はそれ以上の入力及び／又は出力インターフェイスを含むことができる。
【００６２】
図７の実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組み合わせを含むようにメモリ７１８を実現することができる。図７の実施形態では、メモリ７１８が、以下に限定されるわけではないが、サーバアプリケーション７２２、ドッキングポート７２６、広告７３０、及びコンテンツ７３４を含む。
【００６３】
図７の実施形態では、サーバアプリケーション７２２が、広告サーバ５３８の様々な機能及び動作を実行するための、好ましくはＣＰＵ７１４により実行されるプログラム命令を含むことができる。通常、サーバアプリケーション７２２の具体的な特質及び機能は、対応する広告サーバ５３８の特定の種類及び具体的な機能などの要素次第で異なる。いくつかの実施形態では、サーバアプリケーション７２２が、トランスポートサーバ５１８又はトランスポート構造２１０からの情報又は命令を分析して、適当なメディアファイル２５０（図２Ｂ）をユーザ装置１２２（図３）のターゲット装置ユーザとマッチさせることができる。
【００６４】
図７の実施形態では、ドッキングポート７２６が、広告サーバ５３８が１又はそれ以上のトランスポート構造２１０（図２Ａ）と双方向通信して広告７３０、コンテンツ７３４、又は他のいずれかの種類の情報を転送するためのいずれかの効果的なインターフェイス手段を含むことができる。図７の実施形態では、広告７３０が、広告ソース５４０（図５）などのいずれかの適当なエンティティから広告サーバ５３８に提供される広告情報を含む。同様に、図７の実施形態では、コンテンツ７３４が、コンテンツソース５４２（図５）などのいずれかの適当なエンティティから広告サーバ５３８に提供される電子コンテンツを含む。
【００６５】
ここで図８を参照すると、本発明の１つの実施形態による例示的なユーザフィードバックインターフェイス８２０の図を示している。図８の実施形態は例示目的で示すものであり、代替の実施形態では、図８の実施形態に関連して説明する構成要素、機能及び構成のいくつかに加え、或いはこれらの代わりに構成要素、機能及び構成を使用してユーザフィードバックインターフェイス８２０を実現することができる。
【００６６】
図８の実施形態では、ユーザ装置１２２（図３）又は他のいずれかの適当なエンティティのディスプレイ３３８上にユーザフィードバックインターフェイス８２０を表示することができる。図８の実施形態では、ユーザフィードバックインターフェイス８２０が、肯定的フィードバックボタン８２８及び否定的フィードバックボタン８３２を有する基本的フィードバックウィンドウ８２４を含む。装置ユーザは、特定の広告を見た後で、肯定的フィードバックボタン８２８を選択して、広告に関する肯定的な印象を示すことができる。同様に、装置ユーザは、否定的フィードバックボタン８３２を選択して、広告に関する否定的な印象を示すことができる。いくつかの実施形態では、基本的フィードバックウィンドウ８２４が、（例えば、１という低スコアから１０という高スコアまでの）ランク付けした範囲の肯定的又は否定的フィードバックを提供することができる。
【００６７】
図８の実施形態では、ユーザフィードバックインターフェイス８２０が、装置ユーザに対応するユーザコミュニティ１５０からの一連のメンバ８３６で構成される選択されたメンバリストを含むメンバ選択ウィンドウ８２４を含む。このメンバリストは、いずれかの効果的な方法で作成することができる。例えば、メンバリストを、装置ユーザが詳細に作成したデフォルトの友人リストとして実現することができる。或いは、コミュニティマネージャ６６０（図６Ｂ）又はその他のいずれかの適当なエンティティがユーザコミュニティ１５０のメンバに関する様々な関連する種類のメタデータを分析した後で生成した推薦メタデータ２４８（図２Ａ）に基づいて、自動的にメンバリストを作成することもできる。次に、装置ユーザは、１又はそれ以上のコミュニティメンバ８３６を選択して、リストされたコミュニティメンバのいずれが特定の関連広告に気付く可能性が高いかを示すフィードバックメタデータ４５８（図４）を生成することができる。
【００６８】
図８の実施形態では、いずれかの効果的な技術を使用することにより、最初に情報配信ネットワーク１１０からのユーザコミュニティ１５０を定義することができる。例えば、いくつかの実施形態では、１又はそれ以上の装置ユーザにより、所与のユーザコミュニティ１５０のメンバを明確に指定することができる。また、他の実施形態では、関連する装置ユーザ情報を分析することにより、ユーザコミュニティ１５０を自動的に定義することができる。例えば、装置ユーザの共通の特徴及び行動などの選択因子をモニタし分析して、所与のユーザコミュニティ１５０を定義することができる。
【００６９】
次に、情報サービス１１８が、収集したメタデータを分析し広告を準備して、対応するユーザ装置１２２のターゲット装置ユーザへ送信することができる。いくつかの実施形態では、情報サービス１１８又はその他の適当なエンティティが、関連する広告にユーザコミュニティ１５０の他のいずれのメンバが気付く可能性が高いかを示す推薦を提供することもできる。この結果、装置ユーザは、送信された広告を受け取ってこれを見る。
【００７０】
本発明によれば、上述したように、その後装置ユーザが、ユーザフィードバックインターフェイス８２０又はその他の適当な手段を利用して、見た広告に関するフィードバックメタデータ４５８を生成することができる。その後、この生成されたフィードバックメタデータ４５８を（ユーザメタデータ２２２、装置メタデータ２２６、及び広告主メタデータ２３４などの）他の関連するメタデータに組み入れて、装置ユーザ及び対応するユーザコミュニティ１５０の他のメンバをより正確かつ効果的に将来の広告のターゲットとすることができる。従って、少なくとも上述の理由により、本発明は、ターゲット情報をユーザコミュニティに効果的に提供するための改善されたシステム及び方法を提供する。
【００７１】
以上、いくつかの実施形態を参照しながら本発明について説明した。当業者には本開示に照らして他の実施形態も明らかであろう。例えば、上記の特定の実施形態で説明したもの以外のいくつかの構成及び技術を使用して本発明を容易に実施することができる。また、上述した以外のシステムとともに本発明を効果的に使用することもできる。従って、説明した実施形態に対するこれらの及びその他の変形も本発明の対象となることが意図され、これらは添付の特許請求の範囲によってのみ限定される。
【図１Ａ】
2012079317.tif 000003
【図１Ｂ】
2012079317.tif 000004
【図２Ａ】
2012079317.tif 000005
【図２Ｂ】
2012079317.tif 000006
【図３】
2012079317.tif 000007
【図４】
2012079317.tif 000008
【図５】
2012079317.tif 000009
【図６Ａ】
2012079317.tif 000010
【図６Ｂ】
2012079317.tif 000011
【図７】
2012079317.tif 000012
【図８】
2012079317.tif 000013
【外国語明細書】
2012079317.tif 000014
2012079317.tif 000015
2012079317.tif 000016
2012079317.tif 000017
2012079317.tif 000018
2012079317.tif 000019
2012079317.tif 000020
2012079317.tif 000021
2012079317.tif 000022
2012079317.tif 000023
2012079317.tif 000024
2012079317.tif 000025
2012079317.tif 000026
2012079317.tif 000027
2012079317.tif 000028
2012079317.tif 000029
2012079317.tif 000030
2012079317.tif 000031
2012079317.tif 000032
2012079317.tif 000033
2012079317.tif 000034
2012079317.tif 000035
2012079317.tif 000036
2012079317.tif 000037
2012079317.tif 000038
2012079317.tif 000039
2012079317.tif 000040
2012079317.tif 000041
2012079317.tif 000042
2012079317.tif 000043
2012079317.tif 000044
2012079317.tif 000045
2012079317.tif 000046
2012079317.tif 000047
2012079317.tif 000048
2012079317.tif 000049
2012079317.tif 000050
2012079317.tif 000051
2012079317.tif 000052
2012079317.tif 000053
2012079317.tif 000054
2012079317.tif 000055
2012079317.tif 000056
2012079317.tif 000057